(57)【要約】【課題】放射線検出器がその構造上必然的に備えている感度に関する方向特性を実質的に消失させ、任意の範囲の方位に対する感度、望ましくは最大３６０°全方位に対する感度を均一化する。【解決手段】採用する放射線検出モジュールの３６０°全方位の感度を測定する。そして、最も感度の悪い方位での数値（図１の例で説明すれば、(I)における９０°と２７０°の数値「12.0」を基準として、他の方位での数値がこの「12.0」となるように放射線遮蔽材料(2)を放射線検出モジュール(4)に隣接して位置決めする。【選択図】図１
2018036236.tif 000002
【特許請求の範囲】
【請求項１】
放射線を受けると光を発するシンチレータと、該シンチレータが発した光をカウントする電子部品とを有する放射線検出モジュールと、
該放射線検出モジュールの任意の範囲の方位の感度を均一化するために前記放射線検出モジュールに隣接して配置された放射線遮蔽材料とを有する放射線検出器。
【請求項２】
前記電子部品が光半導体素子（MMPC）である、請求項１に記載の放射線検出器。
【請求項３】
前記放射線検出モジュールは信号処理回路、A/D変換回路を更に内蔵し、USBインターフェースが可能である、請求項２に記載の放射線検出器。
【請求項４】
該放射線検出モジュールの任意の範囲の方位の感度が３６０°全方位の感度である、請求項１〜３のいずれか一項に記載の放射線検出器。
【請求項５】
ブラケットを使って自動車の外に３６０°全方位に亘って開放した状態で設置される密封ケースを更に有し、
前記放射線検出器が、前記密封ケースの外に延出するUSBケーブルを介して前記自動車の中に設置されたパーソナルコンピュータに接続可能である、請求項４に記載の放射線検出器。
【請求項６】
放射線を受けると光を発するシンチレータと、該シンチレータが発した光をカウントする電子部品とを有する入手可能な放射線検出モジュールの任意の範囲の方位の感度に関する方向特性を求める方向特性特定工程と、
該方向特性特定工程により求めた方向特性に基づいて、最も感度の悪い方位の感度を基準に、他の方位の感度を低下させるために放射線遮蔽材料を前記放射線検出モジュールに添設して、該放射線検出モジュールの前記任意の範囲の方位の方向特性を均一化する方向特性均一化工程とを有することを特徴とする放射線検出方法。
【請求項７】
所定の校正定数を用意し、該校正定数を用いて端末の表示部に表示する空間線量率を求める演算工程を更に有する、請求項６に記載の放射線検出方法。
【請求項８】
空間線量率を測定した測定点を地図情報に重畳表示する空間線量率マップを端末の表示部に表示する閲覧プログラムであって、
前記端末の表示部に前記空間線量率マップを表示する閲覧画面を生成する機能と、
閲覧者が指定したエリアを受け付ける機能と、
該受け付けたエリアに含まれる前記測定点の空間線量率を抽出する機能と、
抽出した測定点の最大値、最小値、平均値を求める機能と、
該最大値、最小値、平均値を前記閲覧画面に重畳表示する機能とを前記端末に実現させる閲覧プログラム。
【発明の詳細な説明】
【技術分野】
【０００１】
本発明は放射線検出器及びその検出方法並びに閲覧プログラムに関する。
【背景技術】
【０００２】
特許文献１は、除染を実施する前と後の空間線量率を測定するのに好適な装置を提案している。この空間線量率測定装置は、計測ポールを有する。作業者は計測ポールを持ち運び、そして所定位置に立てる。計測ポールの上端には衛星航法システム用アンテナが設置されている。計測ポールには、下端から１cm、５０cm、１ｍ（メートル）の位置に、夫々、空間線量率計測器が設置されている。この３つの空間線量率計測器はナビゲーション装置に接続されて、このナビゲーション装置によって遠隔操作される。各空間線量率計測器はデジタル表示器などを有し、デジタル表示器には測定した空間線量率（μSv/h）が表示される。各空間線量率計測器はメモリを有し、測定した空間線量率がメモリに保存されると共に、各空間線量率は測定順番や測定時刻に関連付けられた状態でメモリに保存される。
【０００３】
上記ナビゲーション装置は、タブレット型やノート型のポータブルコンピュータで構成される。衛星航法システム用アンテナは有線によって衛星航法システム用受信機に接続され、衛星航法システム用受信機は無線によってナビゲーション装置に接続され、そして、ナビゲーション装置は通信機によってモバイルワイファイルタによって公衆ネットワーク（典型的にはインターネット）を介してデータ通信が可能である。具体的には、測定位置データがナビゲーション装置へ送信され、ナビゲーション装置はその測定位置データを受信できる。
【０００４】
作業者はナビゲーション装置に表示されている測定箇所に誘導されて計測ポールを立てる。そして、ナビゲーション装置の入力装置にタッチして、測定を実行させる。これにより、測定位置（緯度、経度）、測定時刻に対応付けて測定位置、測定時刻、空間線量率がメモリに記憶される。メモリに記憶されたデータは、空間線量率分布のマッピングに用いられる。
【０００５】
大阪府熊取町の京都大学原子炉実験所はKURAMA(Kyoto University Radiation Mapping system)を提案し、このシステムを用いた活動を行っている。KURAMAはGPS連動型放射線自動計測システムである。具体的には、KURAMAは、自動車に搭載又は人が持ち運ぶ計測器で測定した空間線量率の測定値と測定位置情報（衛星測位システムGPSのデータ）とを同時に記録して自動的にマッピングする。
【０００６】
図１３は、KURAMAに含まれる計測器を示す。図示の参照符号２００はアルミニウム合金などの金属製の密封ケースを示す。密封ケース２００は、密封ケース本体２０２に対してヒンジ止めされた蓋２０４を有し、蓋２０４は開閉可能である。蓋２０４はバックル（図示せず）によって密封ケース本体２０２に固定される。蓋２０４には、その中央部分に持ち手２０６を有し、持ち手２０６を使って密封ケース２００を持ち運ぶことができる。
【０００７】
密封ケース２００の中には、放射線検出モジュール２１０と、データ処理及びデータ送信用基板２１２が隣り合わせの状態で収容されている。放射線検出モジュール２１０は浜松ホトニクス製の高感度且つ高精度の放射線検出モジュールModel C12137が採用されている。この放射線検出モジュール２１０にはCsI(TI)シンチレーション検出器（シンチレータと光半導体素子（MMPC）との積層体）の他に信号処理回路及びA/D変換回路が内蔵され、そして、放射線検出モジュール２１０はUSBインターフェースを有している。
【０００８】
図１４を参照して、KURAMAは、自動車２２０に搭載されて走行しながら空間線量率（μSv/h）を計測することができる。車載した密封ケース２００（放射線検出モジュール２１０）が計測したデータは、インターネット２２２などのネットワークを使ってサーバ２２４に供給され、サーバ２２４ではデータを保存すると共にデータ解析して可視化する等の処理を行う。自動車２２０には、図示を省略した計測用パーソナルコンピュータ（PC）が搭載され、このPCの計測用プログラムは常に更新され、この計測用プログラムが生成した情報は、アクセスが許可された者が活用可能である。
【０００９】
KURAMAにアクセス可能な者はgoogle earthに例えば１００ｍ(メートル)間隔で表示された各測定点の測定データを閲覧することができる。この測定データは更新と共に随時アップデートされる。車載した放射線検出モジュール２１０とサーバ２２４との間では、PCがテキストファイルとして保存した情報をDropboxで共有し、サーバ２２４上のファイルは差分同期によって更新される。サーバ２２４はgoogle earthからのリクエストに応じて動的にKMLファイルを生成する機能を有している。google earthからのリクエスト期間は例えば約３０秒間隔に設定され、phpによって動的に生成されるkmlでは、各測定点がその線量に応じた色調の丸印としてgoogle earth上に表示される。この丸印をクリックすると当該測定点の測定データの詳細が表示可能である。サーバ２２４は過去のデータも保存していることから、必要に応じてkml形式又はテキスト形式で過去のデータを読み出すことが可能である。
【先行技術文献】
【特許文献】
【００１０】
【特許文献１】特開２０１４−８５２１２号公報
【発明の概要】
【発明が解決しようとする課題】
【００１１】
KURAMAは、自動車を走行させながら隣接する各測定点での空間線量率(μSv/h）を測定することができるため広域に亘る空間線量の測定に要する手間、時間を大幅に短縮することができる。また、地図上に広域に亘る数多くの測定点を重畳表示する空間線量率マップが実質的にリアルタイムに自動作成することができ、また、更新することができるという利点がある。
【００１２】
例えば地上高１ｍ（メートル）の測定点での空間線量率の測定において、当該測定点を中心にした３６０°全方位の放射線を実質的に同じ感度で取り込むことが理想である。これに対して、放射線検出モジュールは一般的に方向性を備えた受光面を備えている。すなわち、受光面が臨む方位に関する感度は優れている一方で、この方位とは異なる方位に関する感度は相対的に劣るという特性を有している。
【００１３】
この事実を確認するために、本願発明者らは線量計校正施設を用いて検証した結果、入手した複数の放射線検出モジュールにおいて、異なる方向特性を有していることが確認できた。このことは、上述した放射線検出モジュールに限定されず、放射線検出器に対して一般的に言える。図１５は、シンチレータ３０２の形状によっても方向特性が発生することを説明するための図である。
【００１４】
図１５は放射線検出モジュールの構造を模式的に示す。図１５の（I）は、放射線検出モジュール３００に含まれる円柱形状のシンチレータ３０２(a)を示し、(II)は直方体形状のシンチレータ３０２(b)を示し、(III)は立方体形状のシンチレータ３０２(c)を示す。シンチレータ３０２は放射線を受けると蛍光を発する物性を有している。NaI(TI)やCsI(TI)はその典型例である。放射線検出モジュール３００は、シンチレータ３０２が発した光をカウントするための光電子倍増管や上述したMPPCなどの電子部品３０４を備えている。この電子部品３０４はシンチレータ３０２の一つの面に隣接して配置される。そして、この電子部品３０４が１秒当たりカウントした光の数はCPS（Count per second）で示される。そして、このCPSは所定の係数を用いて空間線量率(μSv/h）に換算される。
【００１５】
図１５に図示の矢印A、B、Cは異なる方位から入射した放射線を示す。この図１５の(I)、(II)、(III)から、放射線検出モジュール３００を中心とした３６０°の全方位の方向特性に限らず、任意の範囲の方位の方向特性において、入射方位の違いによって感度に差が出ることが理解できるであろう。事実、同じ測定点において異なる複数の放射線検出器を使って測定したときに、異なる測定値が表示されることは特別なことではない。
【００１６】
本発明の目的は、放射線検出器がその構造上必然的に備えている感度に関する方向特性を実質的に消失させ、任意の範囲の方位に対する感度、望ましくは最大３６０°全方位に対する感度を均一化できる放射線検出器及び放射線検出方法を提供することにある。
【００１７】
本発明の他の目的は、空間線量率マップの利便性を向上することのできる閲覧プログラムを提供することにある。
【課題を解決するための手段】
【００１８】
上記の技術的課題は、本発明の一つの観点によれば、
放射線を受けると光を発するシンチレータと、該シンチレータが発した光をカウントする電子部品とを有する放射線検出モジュールと、
該放射線検出モジュールの任意の範囲の方位の感度を均一化するために前記放射線検出モジュールに隣接して配置された放射線遮蔽材料とを有する放射線検出器を提供することにより達成される。
【００１９】
また、上記の技術的課題は、本発明の他の観点によれば、
放射線を受けると光を発するシンチレータと、該シンチレータが発した光をカウントする電子部品とを有する入手可能な放射線検出モジュールの任意の範囲の方位の感度に関する方向特性を求める方向特性特定工程と、
該方向特性特定工程により求めた方向特性に基づいて、最も感度の悪い方位の感度を基準に、他の方位の感度を低下させるために放射線遮蔽材料を前記放射線検出モジュールに添設して、該放射線検出モジュールの前記任意の範囲の方位の方向特性を均一化する方向特性均一化工程とを有することを特徴とする放射線検出方法を提供することにより達成される。
【００２０】
また、上記の技術的課題は、本発明の別の観点によれば、
空間線量率を測定した測定点を地図情報に重畳表示する空間線量率マップを端末の表示部に表示する閲覧プログラムであって、
前記端末の表示部に前記空間線量率マップを表示する閲覧画面を生成する機能と、
閲覧者が任意に指定したエリアを受け付ける機能と、
該受け付けたエリアに含まれる前記測定点の空間線量率を抽出する機能と、
抽出した測定点の最大値、最小値、平均値を求める機能と、
該最大値、最小値、平均値を前記閲覧画面に重畳表示する機能とを前記端末に実現させる閲覧プログラムを提供することにより達成される。
【図面の簡単な説明】
【００２１】
【図１】(I)は浜松ホトニクス製の放射線検出モジュールModel C12137-01の平面図及びその周囲３６０°における感度を示し、(II)は、同じModel C12137-01モジュールの正面図及びその周囲３６０°における感度を示す図である。
【図２】(I)は浜松ホトニクス製の放射線検出モジュールModel C12137-10の平面図及びその周囲３６０°における感度を示し、(II)は、同じModel C12137-10モジュールの正面図及びその周囲３６０°における感度を示す図である。
【図３】(I)は浜松ホトニクス製の放射線検出モジュールModel C12137-00の平面図及びその周囲３６０°における感度を示し、(II)は、同じModel C12137-00モジュールの正面図及びその周囲３６０°における感度を示す図である。
【図４】実施例の放射線検出器において採用可能な放射線遮蔽材料であるステンレス鋼及び鉛（Pb）において、その板厚と放射線透過率との関係を示す。
【図５】実施例の放射線検出器の一つの形態として、車外に設置するために、放射線遮蔽材料を添設した放射線検出モジュールを密封ケース内に収容した例を説明するための図である。
【図６】図５に図示の密封ケースを全方位において開放した状態で車外に設置した例を説明するための図である。
【図７】空間線量率マップを生成してこれを閲覧可能なGPS連動型放射線自動計測システムの全体概要図である。
【図８】自動車に搭載されるパーソナルコンピュータに表示可能な空間線量率測定実行画面の一例を説明するための図である。
【図９】端末で表示可能な空間線量率マップの表示画面を説明するための図である。
【図１０】端末に表示の空間線量率マップの表示切り替えに関するデータ通信を含む制御例を説明するための図である。
【図１１】閲覧者が、端末に表示中の空間線量率マップにおいて所望のエリアの範囲を指定することで、このエリアでの測定点の空間線量率の最大値、平均値、最小値をバルーン表示する表示制御の例を説明するための図である。
【図１２】バルーンに表示する項目としてGIS情報又はこれに関連した情報を表示する例を説明するための図である。
【図１３】KURAMAに含まれる計測器の全体構成を説明するための図である。
【図１４】KURAMAのGPS連動型放射線自動計測システムの全体概要図である。
【図１５】形状が異なるシンチレータが、この形状の違いにより、放射線検出モジュールの３６０°の全方位の方向特性において感度に差が出ることを説明するための図である。
【発明を実施するための形態】
【実施例】
【００２２】
以下に、添付の図面に基づいて本発明の好ましい実施例を説明する。図１〜図３は入手可能な放射線検出モジュールの感度に関し、４５°間隔で測定した方向特性を示す。測定する角度間隔は任意である。図１は、浜松ホトニクス製の放射線検出モジュールModel C12137-01に関する感度の方向特性を説明するための図である。図１の(I)は、Model C12137-01モジュールの平面図及びその周囲３６０°における感度を示し、図１の(II)は、同じModel C12137-01モジュールの正面図及びその周囲３６０°における感度を示す。
【００２３】
図２は、浜松ホトニクス製の放射線検出モジュールModel C12137-10に関する感度の方向特性を説明するための図である。図２の(I)は、Model C12137-10モジュールの平面図及びその周囲３６０°における感度を示し、図２の(II)は、同じModel C12137-10モジュールの正面図及びその周囲３６０°における感度を示す。
【００２４】
図３は、浜松ホトニクス製の放射線検出モジュールModel C12137-00に関する感度の方向特性を説明するための図である。図3の(I)は、Model C12137-00モジュールの平面図及びその周囲３６０°における感度を示し、図3の(II)は、同じModel C12137-00モジュールの正面図及びその周囲３６０°における感度を示す。
【００２５】
感度の測定は放射線源を用いて行う。線源と放射線検出器に含まれるシンチレータの中心との距離を例えば１ｍとして配置し、シンチレータ中心から鉛直となる線を軸に、放射線検出器を線源方向に対する回転角度例えば45°刻みに回転させ、各角度における感度の測定を行なう。
【００２６】
上述した放射線検出モジュールModel C12137-01、Model C12137-10、Model C12137-00は信号処理回路、A/D変換回路を内蔵しており、USBインターフェースに対応している。
【００２７】
図１〜図３の線量率グラフにおいて、例えば数値「11.0」は、感度の測定において、該当する面を放射線源に向けた場合の空間線量率が、μSv／h単位で11.0であったことを意味する。この数値が大きいと感度が相対的に良いことを意味し、小さいと感度が相対的に悪いことを意味する。
【００２８】
例えば図１の(I)において、９０°と２７０°の数値が最も小さく「12.0」であり、０°の数値が最も大きく約「13.5」である。同じモジュールの図１の(II)において、２７０°の数値が最も小さく約「11.88」であり、１８０°の数値が最も大きく約「12.08」である。
【００２９】
図１〜図３を参照して説明したのと同様に、採用する放射線検出モジュールの３６０°全方位の感度を測定する。そして、最も感度の悪い方位での数値（図１の例で説明すれば、(I)における９０°と２７０°の数値「12.0」を基準として、他の方位での数値がこの「12.0」となるように放射線遮蔽材料２を放射線検出モジュール４に隣接して位置決めする。
【００３０】
図４は、遮蔽材料２として採用可能なステンレス鋼及び鉛（Pb）において、その板厚と放射線透過率との関係を示す。放射線検出モジュール４に添設される放射線遮蔽材料２は、放射線検出モジュール４の感度が相対的に良い方位の部分には板厚が厚い材料を配置し、感度が相対的に悪い方位の部分には板厚が薄い材料を配置することで、モジュール４の３６０°全方位での感度を、その最も低い感度で均一化することができる。すなわち、モジュール４のCPS（Count per second）値が、３６０°全方位において、最も低いCPS（Count per second）値で均一化される。そして、この均一化されたCPS値は、放射線のエネルギーごとに、浜松ホトニクスより提供されている所定の換算係数を用いて空間線量率(μSv/h）に換算される。
【００３１】
遮蔽材料を施すことによりモジュールの感度が均一化される。そのうえで基準となる方向から、予め既知である線量率を照射し、この既知線量率（基準線量率）を検出器モジュールが示す線量率で除すると、校正定数が求められる。例えば、基準線量率が、１μSv／hとなる場で、検出器モジュールが0.9μSv／hを示した場合、校正定数は1.11となる。実際の線量率測定を行なう際は、この校正定数を乗じた値が端末（ＰＣ）３０での表示値となる。
【００３２】
すなわち、PC３０に表示される線量率（μSv／h）は、次の式によって求められる。
表示値（μSv／h）＝CPS値×換算係数×校正定数
【００３３】
上記の例で説明すれば、0.9が「CPS値×換算係数」に相当するから、0.9×1.11（校正定数）で得られる約1.0μSv／hが表示値となる。
【００３４】
すなわち、実施例の放射線検出器は、入手可能な放射線検出モジュール４の３６０°全方位の感度を測定し、好ましくは最も感度の悪い方位での感度を基準として、入手可能な放射線検出モジュール４の３６０°全方位の感度が基準感度と同じになるように、各方位の感度に応じた遮蔽機能を有する放射線遮蔽材料２で放射線検出モジュール４を包囲することで実施例の放射線検出器を作ることができる。勿論、放射線検出モジュール４の３６０°全方位を遮蔽材料２で包囲してもよい。即ち、最も感度の悪い方位にも遮蔽材料２を設置し、そして、この方位の感度を基準に３６０°全方位の感度が基準感度と同じになるように、放射線検出モジュール４の３６０°全方位を放射線遮蔽材料２で包囲してもよい。そして、本発明に従う放射線検出器によって空間線量率を求めるときに、適切な校正定数を設定すればよい。
【００３５】
以上、３６０°全方位の感度を均一化することを説明したが、一定の範囲内の方位に限定して、その方向特性を均一化する、つまり任意の範囲の方位の感度を均一化することであってもよい。この場合にあっても、任意の一定の範囲内の方位毎の感度を測定したうえで、感度が相対的に良い部分に板厚が厚い放射線遮蔽材料２を配置し、感度が相対的に悪い部分には放射線遮蔽材料を施さないか、或いは板厚が薄い放射線遮蔽材料２を配置すればよい。
【００３６】
図５は、実施例の放射線検出器の一つの形態として、放射線遮蔽材料２を添設した放射線検出モジュール４を収容して車外に設置するのに好適な密封ケースを説明するための図である。図５において、参照符号１０は例えばステンレス鋼で構成された密封ケースを示す。密封ケース１０の中には、入手可能な放射線検出モジュール４と、該モジュール４の各方位に隣接して配置した遮蔽材料２とで構成された放射線検出器１２が収容されている。モジュール４から延びるUSBケーブル１４が密封ケース１０から外部に延出している。
【００３７】
図６は、自動車２０に密封ケース１０を取り付けた例を示す。勿論、密封ケース１０には、図５を参照して説明した実施例の放射線検出器１２が収容されている。密封ケース１０はブラケット２２を使って自動車２０の外に間隔を隔てて設置される。すなわち、密封ケース１０は、３６０°全方位に亘って開放した状態で自動車２０の外部に設置される。そして、密封ケース１０はその高さ位置が地上１ｍ（メートル）となるように位置決めされる。勿論、異なる高さ位置に別の放射線検出器１２（密封ケース１０）を設置してもよい。
【００３８】
密封ケース１０から延出するUSBケーブル１４は、自動車２０の中に配置されたパーソナルコンピュータ（PC）３０に接続される。PC３０の機能、データ通信、サーバなどの機能は、先述したKURAMAと実質的に同じである。したがって、全体システムを示す図７において、KURAMAと同じ要素には同じ参照符号を付すことによりその説明を省略する。
【００３９】
実施例の放射線検出器１２を使って例えば１秒毎に計測した空間線量率は、測定した日付、時刻、GPSデータを関連付けて情報化される。図７に図示のGPS連動型放射線自動計測システムにアクセス可能な者は、携帯端末３２を使って例えばgoogle earthに表示された各測定点の測定データを閲覧することができる。
【００４０】
自動車２０の中に配置されたパーソナルコンピュータ（PC）３０には制御プログラムがインストールされ、この制御プログラムは、PC３０の表示部に表示可能な画面を見ながら作業者が指令を入力することで空間線量率(μSv/h）の測定に関するプロセスを実行することができる。
【００４１】
図８は、空間線量率測定に関連した画面の一例を示す。測定実行画面４０は、作業者に入力を求める入力欄４２と、地図情報を表示するマップ表示欄４４とを有する。入力欄４２は、これから測定作業を実施する路線番号入力項目や、測定作業を実施する測定者の氏名又はIDの測定者特定入力項目などを含む。また、測定実行画面４０は、測定開始ボタン４６や終了ボタン４８、マップ表示停止ボタン５０や表示再開ボタン５２を含む。測定開始ボタン４６を押し下げることにより測定を開始することができ、終了ボタン４８を押し下げることにより測定を終了することができる。またマップ表示停止ボタン５０を押し下げることによりマップ表示欄４４の地図情報の表示を停止することができ、表示再開ボタン５２を押し下げることによりマップ表示欄４４に地図情報を表示させることができる。PC３０はその表示部が好ましくはタッチパネルで構成されているのがよい。
【００４２】
マップ表示欄４４に表示可能な地図情報は典型的にはgoogle earthである。表示形式として、衛星写真、地図、地形のいずれかを任意に選択可能であるのがよい。自動車２０で走行しながら測定した空間線量率は測定日付、時刻及びGPSデータ（経度、緯度、標高）と関連付けて情報化され、この情報は逐次サーバ２２４（図７）に供給される。勿論、サーバ２２４は過去の情報やデータを保存していることから、必要に応じて過去の情報やデータを読み出すことが可能である。サーバ２２４は、google earth上に重畳表示する各測定点の例えば線量に応じた色調の丸印を生成する。
【００４３】
サーバ２２４にアクセスを許可された者は、例えば携帯端末３２（図７）にインストールされた閲覧プログラムを使って空間線量率マップを表示させることができる。閲覧プログラムはコンピュータによって読取可能である記録媒体、例えばCD−ROMまたはデータ通信を通じて携帯端末３２にインストール可能である。
【００４４】
図９は閲覧画面の一例を示す。図９を参照して、閲覧画面６０には、測定済みの地点（測定点）Ｐが丸印で表示されている。携帯端末３２の表示部がタッチパネルで構成されているときには、閲覧画面６０に表示の地図情報に対して所定のタッチ操作をすることで地図情報を拡大縮小することができる。また、所定のタッチ操作に基づいて表示の地図をスクロールすることができる。
【００４５】
閲覧画面６０の例えば左上の角隅には、作成年月日を表示する年月日表示欄６２を有する。この年月日表示欄６２には、今現在表示中の空間線量率マップを作成した年月日が表示される。この年月日表示欄６２をタッチ操作することで、年月日表示欄６２に表示の年月日を切り替えると共に、時系列に異なる空間線量率マップに切り替えることができる。
【００４６】
例えば、年月日表示欄６２にタッチして上方に指先を跳ね上げる又は指先を上方にスライドさせることで年月日表示欄６２に表示の作成年月日を順次、現在に近い年月日つまり最近の年月日に変更することができる。逆に、下方に指先を跳ね上げる又は指先を下方にスライドさせることで年月日表示欄６２に表示の作成年月日を順次、古い年月日に変更することができる。
【００４７】
図１０を参照して、日付の異なる空間線量率マップに切り替える処理を説明する。説明を簡素化するために、古い年月日の空間線量率マップへの表示切り替えを例に説明する。閲覧者が携帯端末３２に上述したタッチ操作を行うと、携帯端末３２は、受け付けたタッチ操作が古いマップを要求していると判断して、サーバ２２４に、携帯端末３２が現在表示しているエリアの情報（表示エリア情報）と共に古いマップをリクエストする。サーバ２２４は、表示エリア情報で特定されるエリアの空間線量率マップをメモリの中から探す。そして、古い空間線量率マップが存在していれば、この古い空間線量率マップ及びその作成年月日情報を携帯端末３２に送る。携帯端末３２は、これを受けて、古い空間線量率マップに表示を切り替えると共に、その作成年月日を年月日表示欄６２に表示する。
【００４８】
更なる変形例として、携帯端末３２の表示部の例えば右側部に指先をタッチさせ、この指先を上下にスライドさせたタッチ操作に基づいて、このスライドに対応して、日付の異なる空間線量率マップに切り替えるようにしてもよい。図９に図示の矢印６６は指先のスライド操作の方向を示す。
【００４９】
例えば上方にスライドさせたときには、日付の新しい空間線量率マップに表示を切り替え、逆に下方にスライドさせたときには、日付の古い空間線量率マップに切り替えるようにしてもよい。なお、スライドは日付の自動送り機能を有する。
【００５０】
また、年月日表示欄６２にタッチすることでメニューを出現させるようにしてもよい。年月日表示欄６２をタッチし、そして、携帯端末３２が、このタッチ操作はメニュー表示を要求していると判断すると、サーバ２２４に、関連する空間線量率マップをリクエストする。サーバ２２４は、表示エリア情報で特定されるエリアの空間線量率マップをメモリの中から探す。もし、この空間線量率マップがあれば、その測定日付情報を携帯端末３２に送る。携帯端末３２は、これを受けて、メニューに測定日付を表示する。閲覧者が、メニューに表示されている測定日付を選択（測定日付が複数の存在しているときには、その中から選択）すると、選択された測定日付の空間線量率マップをサーバ２２４にリクエストする。サーバ２２４は、このリクエストに応じて該当する空間線量率マップを携帯端末３２に供給する。携帯端末３２は、これを受けて、入手した空間線量率マップをその測定日付と共に表示する。
【００５１】
図９を参照して、参照符号６８は、閲覧者が入力したエリア範囲を示す。閲覧者がエリア範囲６８を指定すると、このエリアに含まれる全ての測定点Ｐの空間線量率(μSv/h）の平均値、最大値、最小値を表示するバルーン７０が表示される。
【００５２】
図１１を参照して、バルーン７０を表示する処理を説明する。閲覧者が、表示中の空間線量率マップにおいて所望のエリア範囲６８を指定する。携帯端末３２は、このエリア指定を受け付けると、エリア範囲６８に含まれる測定点Ｐの空間線量率データを抽出し、そして、その最大値、最小値の他に、平均値を演算する。そして、この最大値、平均値、最小値を書き込んだバルーン７０を生成して表示する。
【００５３】
バルーン７０の表示内容に関する変形例として、バルーン７０によって地理情報システムGIS（Geographic Information System）データを表示するようにしてもよい。具体的には、閲覧者が任意に指定したエリア範囲６８の平面積、世帯数、人口、公衆用道路の距離の総和の項目を挙げることができる。この指定エリア範囲６８の空間線量率を使って当該指定エリア範囲６８に居住する人の公衆被ばく量、集団被ばく量を演算して、これを表示するようにしてもよい。GISデータの中でどのデータの表示を求めるかを閲覧者が指定できるようにするのがよい。
【００５４】
図１２を参照して、バルーン７０の中に表示する項目の特定を説明する。閲覧者は、人口や世帯数、集団被ばく量など少なくとも一つの項目を指定する。携帯端末３２は、指定された項目を地理情報システムGISにアクセスして収集する。指定された項目が演算を必要とする項目であれば、演算してこれを求める。そして、これを書き込んだバルーン７０を生成して表示する。
【００５５】
すなわち、実施例の空間線量率を測定した測定点を地図情報に重畳表示する空間線量率マップを端末の表示部に表示する閲覧プログラムは、
前記端末の表示部に前記空間線量率マップを表示する閲覧画面を生成する機能と、
閲覧者が指定したエリアを受け付ける機能と、
該受け付けたエリアに含まれる前記測定点の空間線量率を抽出する機能と、
抽出した測定点の最大値、最小値、平均値を求める機能と、
該最大値、最小値、平均値を前記閲覧画面に重畳表示する機能とを前記端末に実現させる閲覧プログラムである。また、この閲覧プログラムによって実行可能な表示方法を提案するものである。
【００５６】
この閲覧プログラム及び表示方法は、上述したバルーン７０を使って最大値、最小値、平均値を表示してもよい。変形例として、バルーン７０に代えて、最大値、最小値、平均値を例えば画面の角隅部に表示させてもよい。
【００５７】
閲覧者が指定したエリア範囲６８に関する空間線量率の最大値、最小値、平均値に代えて、閲覧者が任意に指定したエリア範囲６８の平面積、世帯数、人口、公衆用道路の距離の総和の項目の少なくとも一つの項目を表示するようにしてもよい。
【００５８】
閲覧者が指定したエリア範囲６８に関する空間線量率の最大値、最小値、平均値に代えて、閲覧者が指定したエリア範囲６８の空間線量率を使って当該指定エリア範囲６８に居住する人の公衆被ばく量及び/又は集団被ばく量を求めて、少なくとも公衆被ばく量又は集団被ばく量の少なくとも一つの項目を表示するようにしてもよい。また、これに世帯数、人口などを加えて表示してもよい。
【符号の説明】
【００５９】
２    放射線遮蔽材料
４  放射線検出モジュール
１０  密封ケース
１２  放射線検出器
１４  USBケーブル
２０  自動車
３０  パーソナルコンピュータ（PC）
３２  携帯端末
６０  閲覧画面
６２  年月日表示欄
Ｐ  測定点
７０  バルーン
２２４  サーバ
【図１】
2018036236.tif 000003
【図２】
2018036236.tif 000004
【図３】
2018036236.tif 000005
【図４】
2018036236.tif 000006
【図５】
2018036236.tif 000007
【図６】
2018036236.tif 000008
【図７】
2018036236.tif 000009
【図８】
2018036236.tif 000010
【図９】
2018036236.tif 000011
【図１０】
2018036236.tif 000012
【図１１】
2018036236.tif 000013
【図１２】
2018036236.tif 000014
【図１３】
2018036236.tif 000015
【図１４】
2018036236.tif 000016
【図１５】
2018036236.tif 000017